(57)【要約】【課題】履物を収納したり取り出したりするのが非常に簡単で便利で、履物が汚れたり濡れたりしていても、使用者の手が汚れたり濡れたりし難く、また履物の汚れが付着してもその清掃が簡単であり、しかも収納した履物に踵皮部がある場合にはその踵皮部を保護することができ、踵皮部が押し潰されることなく、履物の形が崩れてしまうようなことのない履物用バッグを提供する。【解決手段】バッグ本体１の底部に備えた出入口２に開閉自在とした底蓋３を設け、前記出入口２からバッグ本体１内に、履物Ｓを載置したまま出し入れ可能としたトレイ４を収納できるようにしたものとしている。【選択図】        図３
2005013549.tif 000002
【特許請求の範囲】
【請求項１】
バッグ本体（１）の底部に備えた出入口（２）に開閉自在とした底蓋（３）を設け、前記出入口（２）からバッグ本体（１）内に、履物（Ｓ）を載置したまま出し入れ可能としたトレイ（４）を収納できるようにしたことを特徴とする履物用バッグ。
【請求項２】
前記バッグ本体（１）の出入口（２）を略長方形状とし、前記底蓋（３）をこの出入口（２）に対応する略長方形状とし、底蓋（３）の四辺部のうちの一長辺部を、バッグ本体（１）の出入口（２）と離れないように連結させ、底蓋（３）の他の三辺部を開閉ファスナー（７）を介して、この出入口（２）の周囲に開閉自在として取り付けたことを特徴とする請求項１記載の履物用バッグ。
【請求項３】
前記トレイ（４）を、履物（Ｓ）の踵皮部（Ｓａ）を保護する立上り部（４ａ）を有すると共に、履物（Ｓ）が移動しないように履物（Ｓ）の底部に沿う形状とした受け部（４ｂ）を有するものとしたことを特徴とする請求項１記載の履物用バッグ。
【請求項４】
前記トレイ（４）の立上り部（４ａ）に、このトレイ（４）を出し入れするときに、手に持って操作するための把手（４ｃ）を設けたことを特徴とする請求項１記載の履物用バッグ。
【発明の詳細な説明】
【０００１】
【発明の属する技術分野】
この発明は、ゴルフ、サッカー、野球など、各種のスポーツ用シューズ等の履物を収納して持ち運ぶのに適した履物用バッグに関するものである。
【０００２】
【従来の技術】
従来、この種の履物用バッグには、例えば図４〜６に示したように、シューズ等の履物Ｓを収納する収納部１１と、持ち運び用の提げ手１２と、履物Ｓを出し入れするファスナーＦを採用した開口部１３と、収納部１１の内側１１ａに履物Ｓを包囲する内袋１４を備えている。内袋１４は外側に複数個の内袋取着具１５・・・を有し、収納部１１は内側１１ａに内袋１４を着脱自在に取着するため内袋取着具１５・・・に対応する収納部取着具１６・・・を備えている。複数個の内袋取着具１５・・・および収納部取着具１６・・・には、面ファスナーが採用されている。内袋１４の形状としては、図５に示すように、略長方形状の上面２１および側面２２が開放された袋形状が好ましく、対向する側面２３、２４において上面２１と側面２２の交点付近、および上面２１に対向する底面２５に、それぞれ面ファスナーが取り付けられている。
【０００３】
このようにした履物用バッグは、収納部１１の内側１１ａに取り付けられている収納部取着具１６としての面ファスナーと、内袋１４の外側に取り付けられている内袋取着具１５としての面ファスナーとを圧着して構成され、使用者は、開口部１３のファスナーＦを開けて、スポーツなどをして汚れたシューズ等の履物Ｓを内袋１４に包囲されるように収納し、ファスナーＦを閉め、提げ手１２を持って持ち運びすることができる。
【０００４】
そして、前記履物用バッグに収納した履物Ｓは、内袋１４から取り出してその汚れを落とし、また汚れた履物Ｓを包囲した内袋１４を収納部１１から取り出して洗濯し、再び収納部１１の内側１１ａの面ファスナーと、内袋１４の面ファスナーとを圧着して内袋１４を収納部１１の内側１１ａに取り付け、汚れを落とした履物Ｓを内袋１４に包囲されるように収納する（特許文献１参照）。
【０００５】
【特許文献１】
第３０２２９５３号登録実用新案公報（第４、５頁、図１、２）
【０００６】
【発明が解決しようとする課題】
しかしながら、上記従来の履物用バッグでは、スポーツなどをして汚れたシューズ等の履物Ｓを内袋１４に包囲されるように収納しなければならず、このようにして収納するのが面倒であり、またこのようにして収納された履物Ｓを内袋１４から取り出すのが面倒であるという問題点を有していた。しかも、履物Ｓの汚れが酷い場合や履物Ｓが雨などで濡れた場合には、前記内袋１４に収納したり取り出すのが面倒なために、使用者の手が汚れたり濡れてしまうという問題点を有していた。
【０００７】
さらに、上記従来の履物用バッグでは、履物Ｓの汚れが付着して汚れた内袋１４は、収納部１１の内側１１ａの面ファスナーと、内袋１４の面ファスナーとを脱着して、収納部１１から取り出さなければ洗濯することができず、また洗濯し終わった内袋１４は、収納部１１の内側１１ａの面ファスナーと、内袋１４の面ファスナーとを圧着して、収納部１１の内側１１ａに取り付けなければならばいので、これらの操作が非常に面倒であるという問題点を有していた。
【０００８】
また、上記従来の履物用バッグでは、収納した履物Ｓに踵皮部Ｓａがある場合にはその踵皮部Ｓａを保護することができず、踵皮部Ｓａが押し潰されたりして、履物Ｓの形が崩れてしまうことがあるという問題点を有していた。
【０００９】
そこで、この発明は、上記従来の問題点を解決することをその課題としており、履物を収納したり取り出したりするのが非常に簡単で便利で、履物が汚れたり濡れたりしていても、使用者の手が汚れたり濡れたりし難く、また履物の汚れが付着してもその清掃が簡単であり、しかも収納した履物に踵皮部がある場合にはその踵皮部を保護することができ、踵皮部が押し潰されることなく、履物の形が崩れてしまうようなことのない履物用バッグを提供することを目的としてなされたものである。
【００１０】
【課題を解決するための手段】
そのため、この発明の履物用バッグは、バッグ本体１の底部に備えた出入口２に開閉自在とした底蓋３を設け、前記出入口２からバッグ本体１内に、履物Ｓを載置したまま出し入れ可能としたトレイ４を収納できるようにしたものとしている。
【００１１】
そして、この発明の履物用バッグは、前記バッグ本体１の出入口２を略長方形状とし、前記底蓋３をこの出入口２に対応する略長方形状とし、底蓋３の四辺部のうちの一長辺部を、バッグ本体１の出入口２と離れないように連結させ、底蓋３の他の三辺部を開閉ファスナー７を介して、この出入口２の周囲に開閉自在として取り付けたものとしている。
【００１２】
さらに、この発明の履物用バッグは、前記トレイ４を、履物Ｓの踵皮部Ｓａを保護する立上り部４ａを有すると共に、履物Ｓが移動しないように履物Ｓの底部に沿う形状とした受け部４ｂを有するものとしている。
【００１３】
また、この発明の履物用バッグは、前記トレイ４の立上り部４ａに、このトレイ４を出し入れするときに、手に持って操作するための把手４ｃを設けたものとしている。
【００１４】
【発明の実施の形態】
以下、この発明の履物用バッグの実施の形態を、図面に基づいて詳細に説明する。
【００１５】
図１〜３に示したようにこの発明の履物用バッグは、バッグ本体１の底部に出入口２を備えたものとし、この出入口２に開閉自在とした底蓋３を設けたものとしている。そして、前記出入口２からバッグ本体１内に、スポーツ用シューズ等の履物Ｓを載置したまま出し入れ可能としたトレイ４を収納できるようにしたものとしている。
【００１６】
前記バッグ本体１は、前部１ａ、背部１ｂ、底部１ｃ、襠部１ｄより略直方体状に形成されている。このバッグ本体１の前部１ａの上位置と背部１ｂの上位置には提げ手５を取り付けたものとし、バッグ本体１の前部１ａにはポケット６を設けたものとしている。なお、前記提げ手５は、バッグ本体１の前部１ａと背部１ｂに設けた提げ手５により一対になるものとしているが、襠部１ｄの上位置に取り付けた一つの提げ手（図示せず）としてもよく、バッグ本体１の上位置に取り付けられている。
【００１７】
前記バッグ本体１の出入口２は略長方形状とし、前記底蓋３をこの出入口２に対応する略長方形状としている。そして、前記底蓋３の四辺部のうちの一長辺部を、バッグ本体１の出入口２と離れないように連結させ、底蓋３の他の三辺部を開閉ファスナー７を介して、この出入口２の周囲に開閉自在として取り付けたものとしている。さらに、底蓋３は、厚紙などの補強材（図示せず）で補強したものとするのが好ましく、この底蓋３の外面の四隅には、バッグ本体１を安定した状態で縦方向に置くためや、底蓋３が汚れないようにするための脚部８を設けたものとしている。
【００１８】
前記トレイ４は、合成樹脂の成形品からなり、その平面形状を、バッグ本体１の背部１ｂより一回り小さい略長方形状とするのが好ましく、またその短辺部の長さは前記バッグ本体１の出入口２の長辺部の長さより少し短くするのが好ましい。そして、このトレイ４は、履物Ｓの踵皮部Ｓａを保護する立上り部４ａを有すると共に、履物Ｓが移動しないように履物Ｓの底部（図示せず）に沿う形状とした受け部４ｂを有するものとしており、この受け部４ｂの底面がバッグ本体１の背部１ｂ内面を摺動するようにして、出入口２からバッグ本体１内に、履物Ｓを載置したまま出し入れ可能としている。また、前記トレイ４の立上り部４ａには、このトレイ４を出し入れするときに、手に持って操作するための把手４ｃを設けたものとしている。この把手４ｃは、図示したものでは手が差し込めるようにしているが、単に摘めるようにするなど任意の形態とすることができる。さらに、前記立上り部４ａの下部は、バッグ本体１の出入口２と底蓋３との連結部に引っ掛からないようにアール形状にしたものとするのが好ましい。
【００１９】
前記開閉ファスナー７は、前記バッグ本体１の底部の出入口２の外周と、底蓋３の外周にそれぞれ取り付けられたファスナー片体７ａ、７ａからなり、これらファスナー片体７ａ、７ａを両方向から開閉できるように二個の引手７ｂを設けたものとしている。
【００２０】
以上のように構成したこの発明の履物用バッグは、スポーツ用シューズ等の履物Ｓを収納する場合には、図１に示すようなバッグ本体１を縦方向に置いた状態から、図２に示すようにバッグ本体１の背部１ｂを下方にして寝かせ、開閉ファスナー７を操作して底蓋３を開く。次に、バッグ本体１内に収納したトレイ４の把手４ｃを持ってそのトレイ４を引き出し、トレイ４の立上り部４ａ側に履物Ｓの踵皮部Ｓａがくるようにして、受け部４ｂに履物Ｓの底部を載置する。そして、図３に示すようにトレイ４の把手４ｃを持ってバッグ本体１内の背部１ｂ内面を摺動させるようにして、バッグ本体１内に、その履物Ｓを載置したトレイ４を差し込む。最後に、開閉ファスナー７を操作して底蓋３を閉じれば、提げ手５を持って持ち運びすることができる。
【００２１】
また、この発明の履物用バッグは、収納した履物Ｓを取り出す場合にも、図２に示すようにバッグ本体１の背部１ｂを下方にして寝かせ、開閉ファスナー７を操作して底蓋３を開く。次に、バッグ本体１内に収納したトレイ４の把手４ｃを持って、バッグ本体１内の背部１ｂ内面を摺動させるようにして、そのトレイ４を引きだす。そして、トレイ４に載置した履物Ｓの踵皮部Ｓａの内側に指を引っ掛けるなどして、トレイ４から履物Ｓを取り出せばよい。
【００２２】
なお、この発明の履物用バッグでは、前記したように履物Ｓを収納する場合も、履物Ｓを取り出す場合にも、履物Ｓの踵皮部Ｓａの内側に指を引っ掛けるぐらいで履物Ｓに余り手を触れなくてもよいので、履物Ｓの汚れが酷い場合や履物Ｓが雨などで濡れた場合でも、使用者の手が汚れたり濡れたりし難いものとなる。また、トレイ４が合成樹脂の成形品からなるので、履物Ｓの汚れや水分がトレイ４に付着しても、雑巾などで拭き取ったり、水洗いすれば、その汚れや水分は簡単に落とすことができるものとなる。
【００２３】
さらに、この発明の履物用バッグでは、バッグ本体１内に履物Ｓが収納されている状態において、その履物Ｓの踵皮部Ｓａがトレイ４の立上り部４ａによって常に保護された状態となっているので、この踵皮部Ｓａが押し潰されるようなこともない。
【００２４】
なお、この発明の履物用バッグは、各種のスポーツ用シューズを収納して持ち運ぶのに適しているが、舞踊用などの草履を収納して持ち運んだり、旅行時などの替え靴を収納して持ち運んだり、その他の履物を収納して持ち運ぶことができるのはいうまでもない。
【００２５】
【発明の効果】
この発明の履物用バッグは、以上に述べたように構成されているので、履物を収納したり取り出したりするのが非常に簡単で便利で、履物が汚れたり濡れたりしていても、使用者の手が汚れたり濡れたりし難く、また履物の汚れが付着してもその清掃が簡単であり、しかも収納した履物に踵皮部がある場合にはその踵皮部を保護することができ、踵皮部が押し潰されることなく、履物の形が崩れてしまうようなことがないものとなる。
【図面の簡単な説明】
【図１】この発明の履物用バッグの一実施形態を示しており、縦方向に置いた状態の斜視図である。
【図２】図１に示すこの発明の履物用バッグを背部を下方にして寝かせた状態の斜視図である、
【図３】この発明の履物用バッグの使用状態を示す斜視図である。
【図４】従来の履物用バッグの収納部を示す斜視図である。
【図５】従来の履物用バッグの内袋を示す斜視図である。
【図６】従来の履物用バッグの使用状態を示す斜視図である。
【符号の説明】
１  バッグ本体
２  出入口
３  底蓋
４  トレイ
４ａ  立上り部
４ｂ  受け部
４ｃ  把手
７  開閉ファスナー
Ｓ  履物
Ｓａ  踵皮部
【図１】
2005013549.tif 000003
【図２】
2005013549.tif 000004
【図３】
2005013549.tif 000005
【図４】
2005013549.tif 000006
【図５】
2005013549.tif 000007
【図６】
2005013549.tif 000008